(57)【特許請求の範囲】
【請求項１】
画像を撮像する撮像手段と、
前記撮像手段により得られた画像をファイルとして記憶する記憶手段と、
前記撮像手段によって連続撮影が行われた場合に、前記連続撮影により撮影された複数の画像の中から１又は複数の代表画像を選択する代表画像選択手段と、
前記代表画像選択手段により選択された代表画像にＤＣＦ規格に準拠したファイル名を付与して前記記憶手段に記憶し、前記代表画像以外の画像に前記ＤＣＦ規格に非準拠のファイル名を付与して前記記憶手段に記憶する制御部と、を備えることを特徴とする画像処理装置。
【請求項２】
前記代表画像は前記ＤＣＦ規格に準拠したディレクトリに記憶され、前記代表画像以外の画像は前記ＤＣＦ規格に非準拠のディレクトリに記憶されることを特徴とする請求項１記載の画像処理装置。
【請求項３】
前記ＤＣＦ規格に非準拠のファイル名は、前記ＤＣＦ規格に準拠した前記代表画像のファイル名の一部を含むことを特徴とする請求項１記載の画像処理装置。
【請求項４】
前記ＤＣＦ規格に非準拠のファイル名が、撮影順序を識別するための情報を含むことを特徴とする請求項１記載の画像処理装置。
【請求項５】
前記代表画像選択手段は、ユーザの操作により前記１又は複数の代表画像の選択を可能とする操作手段を有することを特徴とする請求項１乃至４のいずれか１項に記載の画像処理装置。
【請求項６】
前記代表画像選択手段は、予め定められた判断基準にしたがって前記１又は複数の代表画像の選択を自動的に選択する自動選択手段を有することを特徴とする請求項１乃至４のいずれか１項に記載の画像処理装置。
【請求項７】
撮像手段と、前記撮像手段によって撮影された画像を記憶する記憶手段とを備えた画像処理装置の画像ファイル管理方法であって、
前記撮像手段によって連続撮影が行われた場合に、前記連続撮影により撮影された複数の画像の中から１又は複数の代表画像を選択する代表画像選択ステップと、
前記代表画像選択ステップにより選択された代表画像にＤＣＦ規格に準拠したファイル名を付与して前記記憶手段に記憶し、前記代表画像以外の画像に前記ＤＣＦ規格に非準拠のファイル名を付与して前記記憶手段に記憶する記憶ステップと、を有すること特徴とする画像処理装置の画像ファイル管理方法。
【発明の詳細な説明】
【技術分野】
【０００１】
本発明は、連続撮影機能を有するデジタルカメラ等の画像処理装置と、連続撮影時に生成される画像ファイルの管理方法に関する。
【背景技術】
【０００２】
被写体を連続撮影する連写モードを備えたデジタルカメラが知られており、近年では、画像センサの高速化や画像処理プロセッサの高速化によって、１度の連続撮影で多数の画像ファイルを記録することができるデジタルカメラが普及し始めている。また、近年、記録メディアの大容量化が急速に進んでおり、これに伴って、１つの記録メディアに極めて多くの画像ファイルを記憶することができるようになってきている。
【０００３】
デジタルカメラにおける画像記憶方法の規格の１つにＤＣＦ（Design Rule for Camera File System）規格がある。このＤＣＦ規格では、画像ファイルと、画像ファイルが記憶されるフォルダに対して、ファイル番号とフォルダ番号を付けて画像ファイルを記憶するように規定されている。
【０００４】
ＤＣＦ規格に従って多くの画像ファイルを管理する技術として、１回の連続撮影毎に新たなフォルダを生成し、生成したフォルダに画像ファイルを記憶する方法が提案されている（特許文献１参照）。また、ファイルのヘッダ部分に連写ＩＤを付加して記録する方法が提案されている（特許文献２参照）。更に、ＤＣＦ規格のフォルダ数とファイル数の上限に達した段階で、今までの使用していたフォルダをＤＣＦ規格外のフォルダ名にリネイムするという方法が提案されている（特許文献３参照）。
【先行技術文献】
【特許文献】
【０００５】
【特許文献１】特開平１１−３４１４２１号公報
【特許文献２】特開２００５−１４３０２０号公報
【特許文献３】特開２００３−１５８６４５号公報
【発明の概要】
【発明が解決しようとする課題】
【０００６】
連続撮影機能を有するデジタルカメラでは、連続撮影を行う毎に極めて多数の画像ファイルが生成される。一方、ＤＣＦ規格では、１つの記録メディア内に作成できるフォルダ数とファイル数には上限がある。そのため、特許文献１，２に開示された技術では、極めて多数の画像ファイルが生成されてＤＣＦ規格で規定されたフォルダ数とファイル数の上限を超えた場合には、それらの画像ファイルを記憶することができなくなるという問題がある。
【０００７】
また、ＤＣＦ規格では、フォルダ名やファイル名の末尾に番号を付けて記憶するように規定されている。フォルダ名やファイル名の末尾に付加される番号は、記憶された順に増加させていくことが一般的である。そのため、特許文献１〜３に開示された技術では、連続撮影された画像をＰＣ（Personal Computer）等で閲覧すると、連続撮影した画像が似通った名前となるため、非常に似通った画像が何枚も連続して再生されるという問題がある。
【０００８】
本発明の目的は、ファイル格納規格に準拠したファイル名でできる限り多くの画像ファイルを記憶することができ、且つ、連続撮影された大量の画像ファイルの中から所望の画像ファイルを容易に閲覧することができる画像処理装置を提供することにある。
【課題を解決するための手段】
【０００９】
上記目的を達成するために、本発明に係る画像処理装置は、画像を撮像する撮像手段と、前記撮像手段により得られた画像をファイルとして記憶する記憶手段と、前記撮像手段によって連続撮影が行われた場合に、前記連続撮影により撮影された複数の画像の中から１又は複数の代表画像を選択する代表画像選択手段と、前記代表画像選択手段により選択された代表画像にＤＣＦ規格に準拠したファイル名を付与して前記記憶手段に記憶し、前記代表画像以外の画像に前記ＤＣＦ規格に非準拠のファイル名を付与して前記記憶手段に記憶する制御部と、を備えることを特徴とする。
【発明の効果】
【００１０】
本発明に係る画像処理装置によれば、ファイル格納規格に準拠したファイル名でできる限り多くの画像ファイルを記憶することができるようになり、また、連続撮影された大量の画像ファイルの中から所望の画像ファイルを容易に閲覧することができるようになる。
【図面の簡単な説明】
【００１１】
【図１】本発明の実施形態に係る画像処理装置の一例であるデジタルカメラの概略構成を示すブロック図である。
【図２】本発明の実施形態に係るデジタルカメラでの撮影処理のフローチャートである。
【図３】図２中のステップＳ１０８の処理（代表画像選択処理）の詳細を示すフローチャートである。
【図４】図３中のステップＳ２０１の処理で行われるプレビュー表示画面の一例を示す図である。
【図５】図２中のステップＳ１０９の処理（複数ファイル記憶処理）の詳細を示すフローチャートである。
【図６】図５中のステップ３１３の処理（複数ファイルに対するＤＣＦ規格非準拠のファイル名の付与）の形態を模式的に示す図である。
【図７】図５中のステップ３１３の処理（複数ファイルに対するＤＣＦ規格非準拠のファイル名の付与）の別の形態を模式的に示す図である。
【発明を実施するための形態】
【００１２】
以下、本発明の実施形態について、添付図面を参照して詳細に説明する。ここでは、本発明に係る画像処理装置を、所謂、デジタルカメラに適用した場合について説明することとする。
【００１３】
＜デジタルカメラの構成＞
図１は、本発明の実施形態に係るデジタルカメラの概略構成を示すブロック図である。デジタルカメラ１００の全体的制御、つまり、デジタルカメラ１００を構成する各部の動作制御や信号処理は、ＣＰＵ（不図示）を備える制御部１０１によって行われる。撮像部１０２は、撮像レンズやズームレンズ、撮像レンズ等のレンズ、このようなレンズを通して取り込まれた光学像を電気信号に変換するＣＣＤ等の撮像素子等を備えている。撮像制御部１０３は、撮像部１０２のズームレンズの制御や撮像素子の制御を行う。
【００１４】
操作部１０４は、ユーザによる操作を受け付ける各種ボタンや電源ボタン、モードダイヤル、シャッタボタン等を備えている。撮像部１０２により得られた画像や制御部１０１によって生成されたＧＵＩ（Graphical User Interface）等は、表示部１０５に表示される。そのため、表示部１０５は、例えば、ＬＣＤ等の表示パネルを備えている。表示部１０５は、表示制御部１０６によって制御される。
【００１５】
ＲＡＭ１０７には、制御部１０１が動作する際に必要な一時的なデータや、実行中のプログラムが格納される。ＲＯＭ１０８には、制御部１０１が実行する各種の制御プログラム、デジタルカメラ１００の各種の設定条件に関するデータ、ユーザによる設定値等が記憶されている。デジタルカメラ１００には、カードＩ／Ｆ１０９を介して、メモリカード２００を接続することができる。メモリカード２００は、デジタルカメラ１００で撮影された画像ファイルや、任意のデータファイルを記憶する記憶媒体である。
【００１６】
＜撮影処理の流れ＞
図２は、デジタルカメラ１００での撮影処理のフローチャートである。以下の処理は、制御部１０１がＲＡＭ１０７とＲＯＭ１０８から必要なプログラムやデータを読み出してデジタルカメラ１００を構成する各部を制御することにより実行される。
【００１７】
最初に、ユーザが操作部１０４を操作してデジタルカメラ１００の電源がオンになると、制御部１０１は、操作部１０４のモードダイヤルが撮影モードに設定されているかが判定する（ステップＳ１０１）。撮影モードでない場合（Ｓ１０１で“ＮＯ”）、その際に設定されていたモードでの処理へ移行する。撮影モードである場合（Ｓ１０１で“ＹＥＳ”）、シャッタボタンが押下されたかが判定される（ステップＳ１０２）。
【００１８】
シャッタボタンが押下されていない場合（Ｓ１０２で“ＮＯ”）は、処理はステップＳ１０１に戻される。シャッタボタンが押下された場合（Ｓ１０２で“ＹＥＳ”）、ユーザが設定している撮影パラメータがＲＯＭ１０８から読み取られる（ステップＳ１０３）。撮影パラメータとは、シャッタスピード、センサ感度、絞り値、ホワイトバランス設定等の各種設定値を指す。撮影パラメータの読み取りが終了すると、撮影処理が行われる（ステップＳ１０４）。撮影処理とは、撮像部１０２の撮像素子から電気信号に変換された光学像データをＲＡＭ１０７に記憶する処理をいう。
【００１９】
ステップＳ１０４の後、連写モードに設定されているかが判定される（ステップＳ１０５）。連写モードではない場合（Ｓ１０５で“ＮＯ”）、撮影された画像のファイル記憶処理が行われ（ステップＳ１０６）、その後、処理はステップＳ１０１に戻される。ファイル記憶処理とは、ステップＳ１０４でＲＡＭ１０７に記憶された光学像データを、例えばＪＰＥＧ等の画像フォーマットに変換し、メモリカード２００に記録する処理をいう。一方、連写モードである場合（Ｓ１０５で“ＹＥＳ”）、シャッタボタンがフリーな状態に戻されたかが判定される（ステップＳ１０７）。
【００２０】
シャッタボタンが戻されていない場合（Ｓ１０７で“ＮＯ”）、処理はステップＳ１０４に戻され、シャッタボタンがフリーな状態に戻されるまで、ステップＳ１０４〜Ｓ１０７の処理が繰り返される。シャッタボタンが戻された場合（Ｓ１０７で“ＹＥＳ”）、後述する代表画像選択処理が行われ（ステップＳ１０８）、続いて、後述する複数ファイル記憶処理が行われ（ステップＳ１０９）、その後、処理はステップＳ１０１へ戻される。
【００２１】
＜代表画像選択処理＞
図３は、図２中のステップＳ１０８（代表画像選択処理）の詳細を示すフローチャートである。代表画像選択処理では、最初に、図２中のステップＳ１０４〜Ｓ１０７によって撮影された複数の画像のプレビュー表示が行われる（ステップＳ２０１）。
【００２２】
図４は、ステップＳ２０１で行われるプレビュー表示画面の一例を示す図である。プレビュー画面４００では、ユーザが連写撮影した画像がサムネイル画像として一覧表示されている。なお、図４では、選択カーソルが中央に表示されている１枚の画像に当てられ、その画像がハイライトされることによって、現在選択されている画像がユーザに容易に認識できるようになっている。
【００２３】
プレビュー表示画面が表示された後に、ユーザが現在選択している画像を代表画像として選択したかが判定される（ステップＳ２０２）。例えば、図４に示されるように、ユーザは、代表画像として採用したい画像にチェックマークを付けることで、現在選択中の画像を代表画像として選択する。図４では、ハイライトされた画像にチェックマークが付けられた状態が示されているが、このチェックマークは、設定ボタン４０３を１回押下することによって付与でき、設定ボタン４０３が再度押下されると、付与されたチェックマークは消える。なお、複数の画像にチェックマークを付けて、代表画像として選択する構成としてもよい。
【００２４】
ユーザによって現在選択中の画像が代表画像として選択された場合は、制御部１０１は、その画像が代表画像であることをＲＡＭ１０７上に記憶する（ステップＳ２０３）。その後、ページ移動が行われたかが判定される（ステップＳ２０４）。ページ移動は、図４に示される前ページボタン４０１と次ページボタン４０２を操作（押下）することによって行われる。
【００２５】
ページ移動が行われた場合（Ｓ２０４で“ＹＥＳ”）、制御部１０１は、プレビュー画面４００に表示されているサムネイル画像を更新する（ステップＳ２０６）。ページ移動が行われていない場合（Ｓ２０４で“ＮＯ”）、制御部１０１により、カーソル移動（選択画像の移動）が行われているかが判定される（ステップＳ２０５）。カーソル移動が行われている場合（Ｓ２０５で“ＹＥＳ”）、プレビュー画面４００においてハイライトされている画像が変更されて、表示画面が更新される（ステップＳ２０６）。
【００２６】
次に、ユーザによって代表画像選択処理の終了が指示されたかが判定される（ステップＳ２０７）。終了が指示されている場合（Ｓ２０７で“ＹＥＳ”）、制御部１０１は、代表画像選択処理を終了させる。終了が指示されていない場合（Ｓ２０７で“ＮＯ”）、処理はステップＳ２０１に戻される。
【００２７】
＜画像ファイルの記憶処理＞
図５は、図２中のステップＳ１０９（複数ファイル記憶処理）の詳細を示すフローチャートである。複数ファイル記憶処理では、先ず、制御部１０１は、前回のファイル記憶処理の際に使用したフォルダ番号とファイル番号をＲＯＭ１０８から読み出す（ステップＳ３０１）。ファイル格納規格であるＤＣＦ規格では、フォルダ名やファイル名の末尾に番号が付加される。そのため、メモリカード２００に記憶されるフォルダ名とファイル名が一意となるように、前回の撮影時に使用したフォルダ番号とファイル番号をＲＯＭ１０８に記憶させておき、メモリカード２００に新たなファイルを記憶する度にフォルダ番号とファイル番号を更新する必要がある。
【００２８】
ステップＳ３０１でフォルダ番号とファイル番号が読み出されると、ファイル番号が最大かが判定される（ステップＳ３０２）。ファイル番号が最大ではない場合（Ｓ３０２で“ＮＯ”）、ファイル番号がインクリメントされ（ステップＳ３０３）、その後、処理はステップＳ３０４へ進められる。なお、ファイル番号の最大値は、ＤＣＦ規格で定められている値を用いてもよいし、独自に最大値を規定して用いてもよい。
【００２９】
ファイル番号が最大である場合（Ｓ３０２で“ＹＥＳ”）、フォルダ番号が最大かが判定される（ステップＳ３０５）。フォルダ番号の最大値は、ファイル番号の最大値と同様に、ＤＣＦ規格で定められている最大値を用いてもよいし、独自に最大値を規定して用いてもよい。フォルダ番号が最大ではない場合（Ｓ３０５で“ＮＯ”）、ファイル番号がリセットされ（最小値化）、フォルダ番号がインクリメントされ（ステップＳ３０６）、その後、処理はステップＳ３０４へ進められる。一方、フォルダ番号が最大である場合（Ｓ３０５で“ＹＥＳ”）、制御部１０１は、これ以上はファイルを記憶することができない旨の警告を表示部１０５に表示し（ステップＳ３０７）、その後、処理を終了させる。
【００３０】
ステップＳ３０４では、制御部１０１は、代表画像選択処理（ステップＳ１０８）によって選択された代表画像に、ステップＳ３０４までに決定されたファイル番号とフォルダ番号を用いて、ＤＣＦ規格に準拠した名前のファイル名を付与し、メモリカード２００に記憶する（Ｓ３０４）。
【００３１】
メモリカード２００に代表画像が記憶された後、まだ記憶されていない代表画像があるかが判定される（ステップＳ３０８）。まだ記憶されていない代表画像がある場合（Ｓ３０８で“ＹＥＳ”）、処理はステップＳ３０１に戻され、全ての代表画像が記憶されるまで、ステップＳ３０１〜Ｓ３０７の処理が繰り返される。記憶すべき代表画像が存在しない場合（Ｓ３０８で“ＮＯ”）、制御部１０１は、代表画像の記憶に用いた最後のフォルダ番号とファイル番号をＲＯＭ１０８に記憶し（ステップＳ３０９）、後に説明する一次ファイル番号をリセットする（ステップＳ３１０）。
【００３２】
一次ファイル番号がリセットされた後、制御部１０１により、代表画像以外で記憶されていない連写画像があるかが判定される（ステップＳ３１１）。記憶されていない連写画像がある場合（Ｓ３１１で“ＹＥＳ”）、一次ファイル番号がインクリメントされる（ステップＳ３１２）。続いて、制御部１０１は、フォルダ番号、ファイル番号、一次ファイル番号を用いて連写画像にＤＣＦ規格に非準拠のファイル名を付与してメモリカード２００に記憶し（ステップＳ３１３）、処理をステップＳ３１１に戻す。よって、記憶されていない連写画像が存在する限り、ステップＳ３１１〜Ｓ３１３の処理が繰り返され、全ての連写画像が記憶されると（Ｓ３１１で“ＮＯ”）、処理は終了となる。
【００３３】
図５を参照して以上の通りに説明した複数ファイル記憶処理では、代表画像を先に記憶し、その他の連写画像を後にまとめて記憶するという手順を採っている。このようにして画像を記憶することによって、例えば、ＰＣでファイルを日時順にソートした場合に、代表画像と連写画像とが混在してしまうという事態が生じることを回避することが可能になる。
【００３４】
＜ＤＣＦ規格非準拠のファイル名の付与方法及びその具体例（１）＞
図５中のステップＳ３１３（ＤＣＦ規格非準拠のファイル名の付与）について、以下に詳細に説明する。図６は、複数ファイルに対してＤＣＦ規格非準拠のファイル名を付与する形態を模式的に示す図である。図６（ａ）には、ステップＳ３１３の処理終了後の、メモリカード２００に記憶されているファイル構造が示されている。
【００３５】
「１００ＣＡＮＯＮ」と書かれているフォルダは、前回撮影分の撮影画像が記憶されているフォルダであり、「１０１ＣＡＮＯＮ」と書かれているフォルダが、今回の複数ファイル記憶処理（図２のステップＳ１０９）によって新たに作成されたフォルダである。なお、１００ＣＡＮＯＮフォルダ内のファイル名については、１０１ＣＡＮＯＮフォルダ内のファイル名との比較のために、あえて、ＤＣＦ規格に準拠するファイル名を付しており、本実施形態に属さない形態となっている。
【００３６】
１０１ＣＡＮＯＮフォルダ内で、ＤＣＦ規格に準拠するように「ＩＭＧ＿０００１．ＪＰＧ」と命名されているファイルは代表画像を表しており、連写撮影された２３枚の画像のうちの１４枚目の画像が代表画像として記憶されている。「ＩＭＧ＿０００１＿０００１．ＪＰＧ」〜「ＩＭＧ＿０００１＿００２３．ＪＰＧ」のファイルは連写画像を表しており、これら２３枚分の連写画像のファイル名はＤＣＦ規格非準拠のファイル名とされている。
【００３７】
図６（ｂ）は、先に図５中のステップＳ３１２についての説明で述べた一次ファイル番号を説明する図である。１０１ＣＡＮＯＮフォルダ内の２３枚の連写画像に対して連番で付された末尾部分（「．ＪＰＧ」の直前部分）の「０００１」〜「００２３」が一次ファイル番号であり、ＤＣＦ規格非準拠のファイル名は、代表画像のファイル名の一部を含んでいる。
【００３８】
図６（ａ）の１０１ＣＡＮＯＮフォルダに示されるようにファイル名を付与することによって、代表画像と代表画像以外の連写画像が一連の連写撮影によって記憶されたことを容易に判別することができるようになる。また、ファイルの末尾の一次ファイル番号は、撮影順序を識別する情報を含むものであるので、撮影順序を一次ファイル番号から容易に認識することができる。
【００３９】
更に、１０１ＣＡＮＯＮフォルダには、代表画像のコピー（図６（ａ）中の「ＩＭＧ＿０００１＿００１４．ＪＰＧ」）が作成されて、代表画像以外の連写画像と一緒に記憶されている。このように代表画像のコピーを記憶することにより、撮影後にパーソナルコンピュータ（ＰＣ）等で連写画像を連続閲覧した際に、代表画像だけが欠落して再生されてしまうことを防止することができる。但し、このように代表画像をコピーして記憶する構成は必須なものではなく、代表画像のコピーを作成しない構成としてもよい。
【００４０】
なお、本実施形態では、デジタルカメラ１００での画像ファイル管理の形態として、図６（ａ）に示したように、代表画像と連写画像の関連性をファイル名で表現したが、画像ファイルのヘッダ部分等に代表画像と連写画像の関連性を示す情報を記憶させてもよい。具体的には、Ｅｘｉｆ（Exchangeable image File format）等で規定されているメタ情報を格納するエリアに、代表画像と連写画像の関連性を示す情報を記憶しておく方法を用いることができる。
【００４１】
＜ＤＣＦ規格非準拠のファイル名の付与方法及びその具体例（２）＞
図７は、複数ファイルに対してＤＣＦ規格非準拠のファイル名を付与する別の形態を模式的に示す図である。図６（ａ）では、連写画像の命名規則を代表画像と同様の「ＩＭＧ＿ＸＸＸＸ．．．」とした。これに対し、連写画像と代表画像との区別を後に容易に行うことができるように、図７（ａ）では、連写画像の「ＩＭＧ」の部分を「ＴＭＰ」に変更して、「ＴＭＰ＿ＸＸＸＸ．．．」とした別の名前規則のファイル名に変更して記憶している。
【００４２】
図７（ａ）では、代表画像と連写画像の記憶場所を同一フォルダ（１０１ＣＡＮＯＮフォルダ）としているが、図７（ｂ）に示される形態に変更してもよい。すなわち、連写画像専用のフォルダである「ＴＭＰフォルダ」を１０１ＣＡＮＯＮフォルダ内に設け、ＴＭＰフォルダ内に連写画像をまとめて記憶してもよい。また、連写画像用のフォルダを、ＤＣＩＭディレクトリやｒｏｏｔディレクトリとは異なる、他のディレクトリに構成するようにしてもよい。
【００４３】
デジタルカメラ１００において上記説明の通りの画像ファイル管理を行うことにより、連続撮影された画像が大量にある場合でも、ＤＣＦ規格に準拠したファイル名で記憶可能な画像を多く撮影することができるようになる。また、画像プレビューの際に代表画像（ＤＣＦ規格準拠ファイル名の画像）のみが表示されるようにデジタルカメラ１００を構成することで、同じような大量の画像を１枚ずつ送る操作を行うことなく、所望の画像ファイルを容易に見つけ出すことが可能になる。
【００４４】
＜その他の実施形態＞
以上、本発明の実施形態について説明したが、本発明はこれらの実施形態に限定されるものではなく、その要旨の範囲内で種々の変形及び変更が可能である。
【００４５】
例えば、本実施形態では、連写モードの場合に、代表画像選択処理や複数ファイル記憶処理を必ず行うとした。しかし、これに限定されず、連写撮影の枚数や連写撮影の間隔に応じて、代表画像選択処理や複数ファイル記憶処理を行うか行わないかを判別し、その判別結果に従った処理が行われる構成としてもよい。代表画像選択処理及び複数ファイル記憶処理を実行しないと判定された場合には、従来のデジタルカメラと同様に、連写撮影した全ての画像に対してＤＣＦ規格に準拠したファイル名を付与し、メモリカード２００に記憶するようにすればよい。
【００４６】
また、本実施形態では、代表画像の選択処理をユーザが行うものとしたが、デジタルカメラ１００の制御部１０１が予め定められた判断基準にしたがって自動的に代表画像を選択し、決定する構成としてもよい。代表画像の自動選択は、例えば、撮影条件（ピント、露出等）から評価値を算出し、最も評価値の高いものを自動的に選択する方法や、黒つぶれや白飛びの画素数が最小となる画像を代表画像として記録する方法等の公知技術により実現することができる。
【００４７】
本実施形態では、本発明をデジタルカメラに適用した場合について説明したが、本発明に係る画像処理装置は、これに限定されるものではない。例えば、カメラ付き携帯電話、カメラ付きポータブルゲーム機、ビデオカメラ等、撮像手段と撮像された画像の記憶手段を備える機器であれば、本発明を適用可能である。また、本実施形態では、代表画像や連写画像をデジタルカメラ１００に対して着脱自在な記憶媒体としてのメモリカード２００に記憶するとしたが、記憶媒体はデジタルカメラ１００に内蔵、固定されていてもよく、メモリカードに限定されるものでもない。
【００４８】
本発明は、以下の処理を実行することによっても実現される。即ち、上述した実施形態の機能を実現するソフトウェア（プログラム）をネットワーク又は各種記憶媒体を介して画像処理装置に供給し、その画像処理装置のコンピュータ（ＣＰＵやＭＰＵ等）がプログラムコードを読み出して実行する処理である。この場合、そのプログラム、及び該プログラムを記憶した記憶媒体は本発明を構成することになる。
【符号の説明】
【００４９】
１００    デジタルカメラ
１０１    制御部
１０２    撮像部
１０５    表示部
１０７    ＲＡＭ
１０８    ＲＯＭ
２００    メモリカード
【図１】
0005570325.tif 000002
【図２】
0005570325.tif 000003
【図３】
0005570325.tif 000004
【図４】
0005570325.tif 000005
【図５】
0005570325.tif 000006
【図６】
0005570325.tif 000007
【図７】
0005570325.tif 000008